(57)【特許請求の範囲】
【請求項１】
伝線したストッキングの補修器具であって、
補修するための生地である補修部材を連続テープ状の保持部材により保持し、ストッキングの補修面に対する貼力を発生する接合面を上記保持部材とは反対側の表面である上記補修部材側の表面に設けた補修テープと、
該補修テープを巻回した第１のリールと、
該第１のリールからの上記補修テープの巻き出しに同期して、上記補修部材を分離した上記保持部材を巻き取る第２のリールと、
上記各リールを回転可能な状態で支持するとホルダと、
上記第１のリールから巻き出された補修テープをガイドする移載ヘッドとを有しており、
該移載ヘッドは、上記接合面が移載ヘッドとは反対側に面する状態で上記補修テープをガイドし、
上記移載ヘッドが上記補修面に沿って摺動したとき、上記第１のリールから上記補修テープが巻き出されると共に、巻き出された長さに相当する長さの上記補修部材が上記保持部材から分離されて上記補修面に移載されていき、これにより、伝線箇所を覆い隠すことができることを特徴とするストッキング補修器具。
【請求項２】
請求項１において、上記移載ヘッドは、上記補修テープから分離した上記補修部材を幅方向に切断するためのカット機構を備えていることを特徴とするストッキング補修器具。
【請求項３】
請求項１において、上記補修部材は、上記補修テープの幅方向に沿って予め切断されたシート片状をなしており、上記保持部材は、複数のシート片状の上記補修部材を連続的に保持していることを特徴とするストッキング補修器具。
【請求項４】
請求項１〜３のいずれか１項において、上記補修テープにおける接合面側には、静電気の帯電層、あるいはストッキングの編み目に係合するカギ状のフックのような棘の形成層が設けられており、上記補修面に対する貼力は、上記帯電層の静電気に基づく静電気力、あるいは上記編み目に対する上記棘の係合に応じて生じることを特徴とするストッキング補修器具。
【発明の詳細な説明】
【技術分野】
【０００１】
本発明は、伝線等を生じたストッキングを補修するための補修器具に関する。
【背景技術】
【０００２】
従来、例えば、伝線したストッキングを応急手当し、伝線箇所の拡大を防止するための補修液がある（例えば、特許文献１参照。）。このような補修液としては、例えば、ストッキングの生地に染み込んで硬化する特性を備えたアクリル系接着剤や酢酸ビニル樹脂系接着剤等がある。ストッキングの生地に染み込んで硬化した補修液によれば、当該ストッキングの生地をなす編み糸を固定し得る。それ故、このような補修液によれば、編み目の連鎖的なほつれ等を防止でき、伝線の拡大を防止することができる。
【０００３】
しかしながら、上記従来の補修液では、次のような問題がある。すなわち、伝線箇所の拡大を防止し得るものの既に生じた伝線箇所を手当てすることができないおそれや、接着剤である補修液が硬化するまでに時間を要するという問題がある。
【０００４】
【特許文献１】特開平６−３１３２０４号公報
【発明の開示】
【発明が解決しようとする課題】
【０００５】
本発明は、上記従来の問題点に鑑みてなされたものであり、ストッキングに生じた伝線箇所等を速やかに補修するためのストッキング補修器具を提供しようとするものである。
【課題を解決するための手段】
【０００６】
本発明は、伝線したストッキングの補修器具であって、
補修するための生地である補修部材を連続テープ状の保持部材により保持し、ストッキングの補修面に対する貼力を発生する接合面を上記保持部材とは反対側の表面である上記補修部材側の表面に設けた補修テープと、
該補修テープを巻回した第１のリールと、
該第１のリールからの上記補修テープの巻き出しに同期して、上記補修部材を分離した上記保持部材を巻き取る第２のリールと、
上記各リールを回転可能な状態で支持するとホルダと、
上記第１のリールから巻き出された補修テープをガイドする移載ヘッドとを有しており、
該移載ヘッドは、上記接合面が移載ヘッドとは反対側に面する状態で上記補修テープをガイドし、
上記移載ヘッドが上記補修面に沿って摺動したとき、上記第１のリールから上記補修テープが巻き出されると共に、巻き出された長さに相当する長さの上記補修部材が上記保持部材から分離されて上記補修面に移載されていき、これにより、伝線箇所を覆い隠すことができることを特徴とするストッキング補修器具にある（請求項１）。
【０００７】
本発明のストッキング補修器具は、上記第１のリールから上記補修テープを巻き出すと共に、上記補修部材を分離して上記補修面に移載するように構成した上記移載ヘッドを有している。さらに、上記ストッキング補修器具では、上記第２のリールが、上記補修部材を分離した後の上記保持部材を巻き取るように構成してある。
【０００８】
上記ストッキング補修器具によれば、上記補修テープを上記第１のリールから巻き出して上記第２のリールにより巻き取るまでの間に、上記保持部材から上記補修部材を分離して上記補修面に移載することができる。上記ストッキング補修器具の使用者は、例えば、上記補修面に対して上記移載ヘッドを摺動させるように上記ストッキング補修器具を取り扱うことにより、極めて簡単かつ速やかに上記補修面を上記補修部材により覆い隠すことができる。
【０００９】
特に、本発明のストッキング補修器具によれば、いわゆるロールオンタイプのかゆみ止めの塗布薬や消炎薬のごとく、上記補修面に生じた伝線箇所等を補修することができる。そのため、例えば、被服状態のストッキングの表面等、身体の表面に沿って形成された上記補修面への適用も極めて容易である。したがって、上記ストッキング補修器具は、伝線箇所等の応急手当て等、急を要する補修を極めて簡単に実施し得る。
【００１０】
以上のように本発明のストッキング補修器具は、例えば、ストッキングの伝線箇所等を生じた上記補修面を極めて簡単に補修し得る優れた製品である。このストッキング補修器具を利用すれば、ストッキングの伝線等の不測のトラブルを応急手当てでき、伝線等に起因して感じるおそれがある屈辱感や劣等感等を抑制できる。
【発明を実施するための最良の形態】
【００１１】
本発明における上記ストッキングとしては、左脚部分と右脚部分とを一体化したパンティストッキングや、左脚部分と右脚部分とが分離したストッキングや、ストッキングの生地よりなる靴下形状のものなど各種のものがある。
【００１２】
また、上記補修部材としては、補修対象のストッキングの色目や編み目模様に近似したものであることが好ましい。この場合には、周辺に対して上記補修部材を目立たなくでき、ストッキングの伝線箇所等を一層、効果的に覆い隠すことができる。ストッキングを穿いて出かける女性等は、当該ストッキングの色目や編み目模様に近似する上記補修部材を装填した上記ストッキング補修器具を携行することが好ましい。この場合には、上記ストッキング補修器具を用いて、不意の伝線等のトラブルに対して速やか、かつ、効果的に応急手当てすることができる。
【００１３】
また、上記補修部材は、ストッキング用の編み糸を編み込みしてなるものであることが好ましい。
ストッキング用の編み糸を編み込みした上記補修部材を採用する場合には、ストッキングの表面である上記補修面に対して上記補修部材を同化させることができる。それ故、上記補修部材による補修跡を目立たなくさせることができる。
なお、上記補修部材としては、被服された状態のストッキングの編み目の伸長度合いを考慮して、予め、編み目を粗くしておくことも良い。
【００１４】
さらに、上記補修部材としては、例えば、ブックル型、プラッケ型など編み目の頭を固定し得るような編み込み型（例えば、特開平８−１００３０５号公報参照。）によるものを採用するのが良い。この場合には、上記補修部材の伸縮性を敢えて抑制することで、単体状態での補修部材の丸まりなどの変形を抑制できる。変形を抑えた上記補修部材によれば、取り扱いが容易となり、上記補修面への移載を確実性高く実施し得る。
【００１５】
また、上記移載ヘッドは、上記補修テープから分離した上記補修部材を幅方向に切断するためのカット機構を備えていることが好ましい（請求項２）。
この場合には、上記カット機構を利用することで、上記補修面のサイズに応じた適切な長さの上記補修部材を切り出すことができる。それ故、別途、はさみやカッター等を準備することなく、簡単にストッキングの補修を行うことができる。はさみやカッター等に代えて上記カット機構を利用すれば、上記補修部材の切断作業に伴う怪我等のトラブルを未然に防止でき、安全性を高く確保することができる。
【００１６】
また、上記補修部材は、上記補修テープの幅方向に沿って予め切断されたシート片状をなしており、上記保持部材は、複数のシート片状の上記補修部材を連続的に保持していることが好ましい（請求項３）。
予め、個片化されたシート片状の上記補修部材を採用する場合には、上記補修面に上記補修部材を移載した後の切断作業を省略することができる。それ故、一層、簡単に上記補修面の補修を行うことができる。
【００１７】
また、上記補修テープは、上記補修面に対して貼力を発生するように構成した接合面を上記補修部材側の表面に形成してなる。
この場合には、上記接合面が発生する貼力を利用して、上記補修面に対して上記補修部材を確実性高く移載することができる。
【００１８】
なお、上記接合面としては、上記補修部材の表面に設けた粘着材層の表面や、おなもみ（「ひっつき虫」と通称される植物の実。）やマジックテープ（Ｒ）のごとくストッキングの編み目に係合するカギ状フックのような棘を形成した面や、ストッキングにまとわりつくスカートに生じる静電力を発生させる静電気の帯電面などがある。
【００１９】
さらになお、上記粘着材層をなす粘着材としては、例えば、アクリル系粘着材や水分散性粘着材やゴム系粘着材や再貼付可能な特殊アクリル系粘着材など様々なものがある。上記粘着材として強粘着性のものを利用する場合には、上記補修面を補修すると同時に、ストッキングの編み目のほつれを防止でき、伝線の拡大等を未然に防止することができる。
【００２０】
また、上記移載ヘッドは、上記補修テープを上記補修面に押し当てると共に、該補修面の表面形状に応じて弾性的に変形し得るように構成したテープガイド部を有していることが好ましい。
この場合には、上記補修面の凹凸に沿って上記テープガイド部が弾性的に変形し得るため、上記補修面に対して上記補修部材を密着させることができる。それ故、上記ストッキング補修器具を用いた補修作業を一層、確実性高く実施することができる。
【実施例】
【００２１】
（実施例１）
本例は、ストッキングに生じた伝線等を補修するためのストッキング補修器具１に関する例である。この内容について、図１〜図５を用いて説明する。
本例のストッキング補修器具１は、図１に示すごとく、補修用の生地である補修部材１１を連続テープ状の保持部材１２により保持した補修テープ１０と、この補修テープ１０を巻回した第１のリール３１と、第１のリール３１から巻き出した上記補修テープ１０を巻き取るための第２のリール３２と、各リールを回転可能な状態で支持するとホルダ２と、補修テープ１０から上記補修部材１１を分離し、補修面に移載させるための移載ヘッド４とを有している。
この移載ヘッド４は、補修面に沿う摺動動作に応じて第１のリール３１から補修テープ１０を巻き出すように構成してある。第２のリール３２は、第１のリール３１から補修テープ１０を巻き出すのに同期して、補修部材１１を分離した保持部材１２を巻き取るように構成してある。
以下、この内容について詳しく説明する。
【００２２】
本例のストッキング補修器具１は、図２に示すごとく、略一定の厚みを有する略卵型のものである。このストッキング補修器具１は、全体として、手のひらに良くなじみ取り扱いし易いような丸みを帯びた形状を呈している。ストッキング補修器具１は、外周側面の１箇所に開口部１１０を設けてなり、当該開口部１１０には、補修テープ１０をガイドする上記移載ヘッド４が突出している。
【００２３】
ストッキング補修器具１は、図１及び図２に示すごとく、筐体をなすホルダ２の内部に第１のリール３１及び第２のリール３２を収容したものである。このストッキング補修器具１では、第１のリール３１から巻き出す補修テープ１０について、移載ヘッド４の先端を回り込ませた後、第２のリール３２により巻き取るという取り回し構造を有している。
【００２４】
上記ホルダ２は、図１及び図２に示すごとく、ＡＢＳ樹脂よりなる皿状を呈するケース部２１と、ＡＢＳ樹脂よりなる蓋状のカバー部２２とからなる２分割構造を呈するものである。ケース部２１は、外周方向の１カ所において途切れた外周壁２１８と、該外周壁２１８を設けた略平板状の底板２１７とよりなる。この底板２１７の内表面には、第１のリール３１を回転可能な状態で軸支する第１シャフト２１１と、第２のリール３２を回転可能な状態で軸支する第２シャフト２１２と、保持部材１２をガイドするガイドシャフト２１５、２１６と、移載ヘッド４を保持するための２カ所一対の略円柱状のリブ２１４とを設けてある。
【００２５】
ガイドシャフト２１５、２１６は、図１及び図２に示すごとく、底板２１７の法線方向に立設した断面略円形状を呈する軸体である。ガイドシャフト２１５は、第１のリール３１から巻き出した補修テープ１０をガイドし、移載ヘッド４に向けて送出するためのものである。ガイドシャフト２１６は、第２のリール３２により保持部材１２を巻き取りできるよう、移載ヘッド４から送出されてくる保持部材１２をガイドするためのものである。
一対のリブ２１４は、それぞれ、底板から立設した断面略円形状を呈する軸体である。一対のリブ２１４は、それぞれ、移載ヘッド４に設けた孔４１０に嵌合し、該移載ヘッド４を固定支持し得るように形成してある。
【００２６】
ケース部２１は、図１及び図２に示すごとく、外周壁２１８の形成高さに相当する間隙を設けてカバー部２２を接合するように構成してある。ケース部２１とカバー部２２とを組み合わせたホルダ２では、上記外周壁２１８の途切れた部分により上記開口部１１０が形成されている。本例のストッキング補修器具１では、上記のごとく、この開口部１１０を介して移載ヘッド４が外部に向けて突出している。
【００２７】
移載ヘッド４は、図１及び図２に示すごとく、ケース部２１のリブ２１４を内挿する孔４１０を設けた支持部４１と、補修テープ１０をガイドするためのテープガイド部４２とを有してなる。本例では、ウレタンゴムにより、移載ヘッド４を形成した。支持部４１は、略直方体形状を呈しており、幅方向（図１における奥行き方向。）に貫通する２箇所の上記孔４１０を有している。テープガイド部４２は、略一定幅（図１における奥行き方向の寸法。）をなすと共に、先端に向けて厚み（図１における上下方向の寸法。）が縮小する略楔形状を呈している。上記のごとく、ウレタンゴムよりなり、かつ、先端に向かって次第に薄くなっている本例のテープガイド部４２によれば、弾性変形させるのが比較的、容易である。そのため、本例のテープガイド部４２は、補修面に押し当てたとき、当該補修面の表面形状に沿うように「ゴムへら」のごとく弾性的に変形することができる。なお、移載ヘッド４の材質としては、本例のウレタンゴムやシリコンゴムや天然ゴムのゴム素材や、低反発ウレタンフォームや高弾性ウレタンフォームなどのスポンジ素材などを採用することができる。
【００２８】
第１のリール３１は、図１及び図２に示すごとく、上記第１シャフト２１１を内挿する略円筒状のリール芯３１１と、該リール芯３１１の両端に接合した略円板状のガイドプレート３１２と、プーリーベルト３０をかける略円板状のプーリー３１３とを有してなる。プーリー３１３は、リール芯３１１及びガイドプレート３１２を一体的に回転させ得るよう、ガイドプレート３１２のうちの一方と一体的に形成してある。この第１のリール３１には、巻き始めの端部をリール芯３１１に固定した状態で、上記補修テープ１０を巻回してある。
【００２９】
第２のリール３２は、図１及び図２に示すごとく、上記第２シャフト２１２を内挿する略円筒状のリール芯３２１と、該リール芯３２１の両端に接合した略円板状のガイドプレート３２２と、プーリーベルト３０をかける略円板状のプーリー３２３とを有してなる。プーリー３２３は、リール芯３２１及びガイドプレート３２２を一体的に回転させ得るよう、ガイドプレート３２２のうちの一方と一体的に形成してある。この第２のリール３２は、第１のリール３１から巻き出した補修テープ１０のうち、補修部材１１を分離した保持部材１２を巻き取るためのものである。第２のリール３２では、第１のリール３１に巻回した補修テープ１０のうち、保持部材１２のみからなる巻き終わりの端部をリール芯３２１に固定してある。なお、新品状態のストッキング補修器具１としては、保持部材１２に保持する補修部材１１の先端位置を移載ヘッド４の先端に位置しておくのが良い。
【００３０】
補修テープ１０は、図３及び図４に示すごとく、略等幅を呈する連続テープ状のものである。この補修テープ１０は、保持部材１２よりなる層と、保持部材１２に補修部材１１を保持するための保持層１３と、補修部材１１よりなる層と、補修部材１１を補修面に接合するための接合層１４とよりなる４層構造を呈している。そして、補修テープ１０では、接合層１４側の表面が補修面に対する接合面１４１を形成している。保持層１３は、保持部材１２により補修部材１１を保持するための保持力を発生する層である。接合層１４は、保持部材１２から分離した補修部材１１が補修面に対して接合されるための接合力（貼力）を発生する層である。
【００３１】
保持部材１２は、図３及び図４に示すごとく、材質ＰＥＴ（ポリエチレンテレフタレ−ト）よりなり、補修部材１１と略等幅を呈するテープ状の部材である。なお、保持部材１２の材質としては、本例のＰＥＴのほか、ＰＥ（ポリエチレン）、ＰＵ（ポリウレタン）、ＰＰ（ポリプロピレン）、ＰＳ（ポリスチレン）、ＰＩ（ポリイミド）、塩化ビニルなどの樹脂系のフィルムや紙や不織布など様々なものを採用することができる。
【００３２】
補修部材１１は、図３及び図４に示すごとく、ストッキングの編み糸を編み込みしてなる生地である。本例では、切断ライン１００において予め切断された略矩形小片状の補修部材１１を採用した。これにより、補修後の補修部材１１を適当な長さにカットするための切断作業を不要としてある。本例の補修テープ１０は、隣接する補修部材１１が切断ライン１００を介して接するよう、複数の小片状の補修部材１１を保持部材１２の表面に連続的に保持したものである。
【００３３】
保持層１３は、図３に示すごとく、弱粘着性のアクリル系粘着材を設けた層である。この保持層１３は、適切な保持力で補修部材１１を保持し得るものである。この保持層１３によれば、第１のリール３１（図１参照。）から移載ヘッド４に至るまでの間、補修部材１１を保持部材１２に確実性高く保持でき、かつ、移載ヘッド４において速やかに補修部材１１を分離させることができる。
【００３４】
接合層１４は、強粘着性のアクリル系粘着材を設けた層である。この接合層１４は、補修面に対して確実性高く補修部材１１を接合できるように構成してある。なお、保持層１３あるいは接合層１４をなす粘着材の材質としては、本例のアクリル系粘着材のほか、水分散性粘着材や特殊アクリル系粘着材や非天然ゴム系粘着材や合成ゴム系粘着材など様々なものを採用することができる。特に、非天然ゴム系粘着材によれば、粘着材に起因して生じるおそれがあるアレルギー反応を抑制し得る。
【００３５】
次に、以上のように構成したストッキング補修器具１を使用する方法について説明する。
このストッキング補修器具１を使用するに当たっては、まず、図５に示すごとく、補修面６０（以下、ストッキング表面６０という。）に対して移載ヘッド４を押し当てるよう、ホルダ２を把持する。このとき、ストッキング表面６０から作用する反力によりテープガイド部４２が弾性的に変形する。そのため、本例のストッキング補修器具１によれば、ストッキング表面６０に沿って補修テープ１０を密着させることができる。ここで、補修テープ１０の表面にはアクリル系粘着材よりなる接合層１４を配設してある。補修部材１１は、この接合層１４が生じる貼力によりストッキング表面に接合される。
【００３６】
上記のごとく移載ヘッド４をストッキング表面６０に押し当てた状態を維持しながら当該ストッキング表面６０に沿って摺動させる。このとき、補修部材１１とストッキング表面６０との間に介在する接合層１４の発生する接合力（貼力）により、第１のリール３１から補修テープ１０を巻き出すことができる。巻き出した補修テープ１０では、移載ヘッド４の先端を通過する際に補修部材１１が分離され、ストッキング補修面６０に移載される。すなわち、ストッキング表面６０における摺動距離に応じた長さの補修テープ１０を第１のリール３１から巻き出しできると共に、巻き出した長さに相当する長さの補修部材１１を順次、ストッキング表面６０に移載していくことができる。
【００３７】
その後、ストッキング表面６０の伝線箇所に対して補修部材１１の貼り付け（移載）が完了したら、移載ヘッド４をストッキング表面６０から引き離す。本例の補修テープ１０は、連続テープ状の保持部材１２に複数の小片状の補修部材１１を連続的に保持したものである。そのため、上記のごとく移載ヘッド４をストッキング表面６０から引き離すことにより、移載済みの小片状の補修部材１１を補修テープ１０から容易に切り離しすることができる。
【００３８】
以上のように、本例のストッキング補修器具１によれば、補修面に沿って移載ヘッド４を移動（摺動）させることにより、当該伝線箇所に補修部材１１を貼り付けて覆い隠すことができる。このストッキング補修器具１を携行していれば、不意に生じる伝線等のトラブルに対してワンタッチで応急手当てすることができる。さらに、このストッキング補修器具１では、補修テープ１０に保持した補修部材１１を予め小片状に切断してある。それ故、補修後に補修部材１１を適当な長さでカットする必要も生じない。さらに、本例のように補修部材１１の接合層１４をなす粘着材として高粘着性のアクリル系粘着材を用いる場合には、ストッキングの編み目をなす編み糸を固定でき、伝線の拡大を防止することができる。
【００３９】
なお、補修部材１１の接合層１４としては、植物であるおなもみの実や、マジックテープ（Ｒ）のごとく、ストッキングの編み目に係合するカギ状フックのような棘を形成した層であっても良い。この場合には、機械的な係合構造に由来した接合力（貼力）によって上記補修部材１１をストッキング表面に貼り付けることができる。さらにまた、補修部材１１の接合層１４としては、静電気の帯電層であっても良い。この場合には、静電的な力に由来した貼力によって上記保持部材１２をストッキング表面６０に接合することができる。
【００４０】
さらになお、ケース部２１の外周壁２１８のうちの一部に、透明プレートよりなる部分あるいは開口部を設けることも良い。特に、補修部材１１を保持した補修テープ１０に対面するように透明プレートあるいは開口部分等を配置することが良い。この場合には、当該透明プレートあるいは開口部を介して、補修部材１１の色合いや模様等を確認することができる。あるいは、ホルダ２全体を透明な樹脂により形成することも好ましい。この場合には、内部の補修テープ１０の確認が容易となる。
さらに、移載ヘッド４が突出する開口部１１０に対して、移載ヘッド４を覆うキャップ部材を取り付けることも好ましい。この場合には、ストッキング補修器具１の非使用時において、このキャップ部材により移載ヘッド４及び補修テープ１０を保護することが可能になる。
【００４１】
（実施例２）
本例は、実施例１のストッキング補修器具１を基にして、連続テープ状の補修部材１１を採用すると共に補修部材１１のカット機構５１を追加した例である。この内容について、図６〜図８を用いて説明する。
本例のカット機構５は、開口部１１０から突出するスライダー５０と、このスライダー５０の先端が押し当たるキャッチャー部２５０とを組み合わせてなる機構である。
スライダー５０は、先端にカッター５２０を設けた湾曲平板状のスライドプレート５２、外表面にギザギザを設けた平板状のスライドレバー５１、及びこのスライドプレート５２とスライドレバー５１とを連結する連結部５３を組み合わせたものである。連結部５３は、ケース部２１の外周壁２１８の厚さに対してわずかに厚く形成した断面略矩形状を呈する部分である。そして、この連結部５３は、スライドプレート５２とスライドレバー５１とが所定の間隙を空けて対面するよう、当該間隙に配設してある。
【００４２】
キャッチャー部２５０は、ホルダ２の一部として形成された部分である。本例のホルダ２は、移載ヘッド４を覆うように、その突出方向に向けて突出する庇状のバイザー部２５を有している。バイザー部２５の先端は、移載ヘッド４の先端に対して、さらに、その突出方向に隣り合わせて位置するように延設されている。上記キャッチャー部２５０は、バイザー部２５の先端に形成した部分である。
【００４３】
キャッチャー部２５０は、ストッキング補修器具１の厚み方向に沿って延在する溝２５０ｍを有している。溝２５０ｍは、その内部に、スライダー５０のカッター５２０を収容するように形成してある。本例のカット機構５は、補修テープ１０から分離した補修部材１１を介在した状態で、キャッチャー部２５０に対してカッター５２０を押し当てすることにより補修部材１１を切断する機構である。
【００４４】
ケース部２１は、外周壁２１８のうち開口部１１０に隣接する部分に、上記連結部５３を収容するスリット孔２１９を有している。本例のストッキング補修器具１では、スリット孔２１９に連結部５３を収容することで、外周壁２１８の内周側にスライドプレート５２を配置し、かつ、外周壁２１８の外周側にスライドレバー５１を配置した状態でスライダー５０を組み付けしてある。
【００４５】
ストッキング補修器具１は、スリット孔２１９に沿う連結部５３の進退に応じて、スライドプレート５２が突出あるいは後退するように構成してある。連結部５３がスリット孔２１９における開口部１１０側に位置したとき、スライドプレート５２がキャッチャー部２５０に押し当てされる。連結部５３が開口部１１０から離れるように後退したとき、スライドプレート５２がホルダ２の内部に収容される。
【００４６】
次に、以上のように構成した本例のストッキング補修器具１に使用方法、特に、補修後の補修部材１１を切断する方法について説明する。
このストッキング補修器具１を用いて補修するに当たっては、図６に示すごとく、スライドプレート５２がホルダ２に収容されるようにスライドレバー５１を操作する。そして、実施例１と同様、補修面に移載ヘッド４を押し付けした状態で、例えば、伝線を生じた方向に摺動させる。そうすると、補修テープ１０からテープ状の補修部材１１を分離でき、図６のごとく開口部１１０から補修部材１１を引き出していくことができる。
【００４７】
その後、丁度良い長さの補修部材１１を補修面に移載できたら、上記カット機構５を利用した切断作業を実施する。使用者の指先等の操作により、スライドレバー５１を開口部１１０に向けて押し出す。そうすると、開口部１１０に向けてスライドプレート５２を突出させていくことができ、最終的には、キャッチャー部２５０に対してカッター５２０を押し当てることができる。このとき、補修部材１１を介在した状態でカッター５２０がキャッチャー部２５０に押し当てされるため、これにより、補修部材１１を切断できる。
【００４８】
以上のように、本例のストッキング補修器具１によれば、スライドレバー５１のワンタッチ操作により補修後の補修部材１１を適切な長さで切断することができる。
なお、その他の構成及び作用効果については実施例１と同様である。
また、図９に示すごとく、上記スライドレバー５１から延設した操作部５１０をホルダ２の側面に配置することも好ましい。この場合には、ストッキング補修器具１を把持する使用者が、親指で操作部５１０を操作できる。この場合には、カット機構５の操作性を格段に向上させることができる。
【図面の簡単な説明】
【００４９】
【図１】実施例１における、ストッキング補修器具の構造を示す断面図。
【図２】実施例１における、ストッキング補修器具を示す正面図。
【図３】実施例１における、補修テープの構造を示す断面図。
【図４】実施例１における、補修テープを示す正面図。
【図５】実施例１における、ストッキング補修器具の使用状態を説明する説明図。
【図６】実施例２における、ストッキング補修器具の構造を示す断面図（スライドプレートを収納した状態。）。
【図７】実施例２における、ストッキング補修器具の構造を示す断面図（スライドプレートを押し出した状態。）。
【図８】実施例２における、ストッキング補修器具を示す側面図。
【図９】実施例１における、その他のストッキング補修器具を操作する様子を説明する説明図。
【符号の説明】
【００５０】
１  ストッキング補修器具１
１０  補修テープ
１１  補修部材
１１０  開口部
１２  保持部材
１３  保持層
１４  接合層
２  ホルダ
２１  ケース部
２２  カバー部
３０  プーリーベルト
３１  第１のリール
３２  第２のリール
４  移載ヘッド
４１  支持部
４２  テープガイド部
【図１】
0004712500.tif 000002
【図２】
0004712500.tif 000003
【図３】
0004712500.tif 000004
【図４】
0004712500.tif 000005
【図５】
0004712500.tif 000006
【図６】
0004712500.tif 000007
【図７】
0004712500.tif 000008
【図８】
0004712500.tif 000009
【図９】
0004712500.tif 000010